(57)【要約】      （修正有）【課題】容易に着脱可能で、鉄筋格子がずれることがなく、床コンクリートの打設に適し、さらに、鉄筋格子を２段に配設することに適した鉄筋支持具を提供する。【解決手段】列筋と行筋が交差する範囲を外して、上方に開放し下方に扇形部３ａを有する支持部を設け、列筋を支持する扇形部と行筋を支持する扇形部３ａとの間に、使用する鉄筋のサイズに見合う寸法の段差を設けた鉄筋支持具２０とする。さらに、横方向に開放し下方に扇形部５ａを有する第２支持部を設け、列筋を支持する扇形部と行筋を支持する扇形部５ａとの間に、使用する鉄筋のサイズに見合う寸法の段差を設けた鉄筋支持具２０とする。【選択図】図４
0003187894.tif 000002
【実用新案登録請求の範囲】
【請求項１】
列筋及び行筋を有する鉄筋格子を支持する鉄筋支持具であって、正面、左側面及び右側面からなる支柱部を有し、前記各面にそれぞれ上方に開放する支持部を設け、
前記各支持部は、それぞれ扇形部と上方開口部を有するものとし、  前記左側面及び右側面にそれぞれ設けた側面支持部の扇形部の高さと、前記正面に設けた正面支持部の扇形部の高さとの間に、使用する鉄筋のサイズに見合う寸法の段差を設けたことを特徴とする、床コンクリートを打設するときに使用する鉄筋支持具。
【請求項２】
請求項１に記載した鉄筋支持具であって、前記上方開口部が上方に向かうにつれ徐々に広がる形状を有するものとしたことを特徴とする鉄筋支持具。
【請求項３】
請求項１又は請求項２のいずれかに記載した鉄筋支持具であって、前記支持部より下側に、前記各面にそれぞれ横方向に開放する第２支持部を設け、
前記第２支持部は、それぞれ扇形部と横向開口部を有するものとし、前記正面に設けた正面第２支持部の横向開口部が、前記左側面に設けた左面第２支持部又は前記右側面に設けた右面第２支持部のいずれかの横向開口部と合流し、すべての横向開口部が同じ方向に開放する構成とし、
前記左面第２支持部及び前記右面第２支持部の扇形部の高さと、前記正面第２支持部の扇形部の高さとの間に、使用する鉄筋のサイズに見合う寸法の段差を設けたことを特徴とする鉄筋支持具。
【請求項４】
請求項３に記載した鉄筋支持具であって、上側に設けた正面支持部の扇状部と下側に設けた正面第２支持部の扇形部との間に、８０〜２００ｍｍの段差を設けたことを特徴とする鉄筋支持具。
【請求項５】
請求項１〜請求項４のいずれかに記載した鉄筋支持具であって、前記扇形部の半径を３〜７ｍｍの範囲としたことを特徴とする鉄筋支持具。
【考案の詳細な説明】
【技術分野】
【０００１】
本考案は、床コンクリートを打設するときに使用する鉄筋支持具であって、縦向きの鉄筋（以下「列筋」という。）と横向きの鉄筋（以下「行筋」という。）を有する鉄筋格子を支持することに適した鉄筋支持具に関するものである。
【背景技術】
【０００２】
鉄筋格子は、それぞれ複数本の列筋と行筋を適宜並べて配置し、列筋と行筋とが交差する部分を溶接又は結束してなるものである。
床コンクリートを打設する場合は、土間に砂利や砕石を敷いて突き固めることにより基礎を施工し、基礎から適宜離して鉄筋格子を設けた後に、コンクリートを流し込む工法が行われている。
従来から、鉄筋を基礎から適宜離して保持する発明として、コンクリートブロックと係止金具とからなる鉄筋コンクリート用スペーサーの発明があった（例えば、特許文献１参照）。しかし係る発明は、バネ材の係止金具の中に鉄筋を押し込む構成であることから、間違えた位置に配設した場合や設計変更により配置を変更する場合などに、係止金具の中に押し込んだ鉄筋を取り出すことが容易でない問題があった。
また、１本の鉄筋だけを保持する構成であるため、鉄筋の長手方向に力がかかると鉄筋がずれてしまう問題があった。さらに、係止金具が一段しかないため、鉄筋格子を２段に配設することができない問題があった。
【先行技術文献】
【特許文献】
【０００３】
【特許文献１】特許第３９１３４５２号公報
【考案の概要】
【考案が解決しようとする課題】
【０００４】
本考案の目的は、床コンクリートを打設するときに使用する鉄筋支持具であって、鉄筋格子を容易に着脱することが可能で、鉄筋格子がずれることがない鉄筋支持具を提供することにある。さらに、鉄筋格子を２段に配設することに適した鉄筋支持具を提供することにある。
【課題を解決するための手段】
【０００５】
鉄筋格子の列筋と行筋とが交差する位置に設置し、列筋と行筋の両方共支持する鉄筋支持具であって、列筋と行筋とが交差する範囲を外し、上方に開放し下方に扇形部を有する支持部を設け、列筋を支持する扇形部と行筋を支持する扇形部との間に、使用する鉄筋のサイズに見合う寸法の段差を設けた鉄筋支持具とする。
さらに前記構成に加えて、横方向に開放し下方に扇形部を有する第２支持部を設け、列筋を支持する第２支持部の扇形部と行筋を支持する第２支持部の扇形部との間に、使用する鉄筋のサイズに見合う寸法の段差を設けた鉄筋支持具とする。
【考案の効果】
【０００６】
支持部又は第２支持部の扇形部に鉄筋格子を載せるだけで支持するため、着脱することが容易な鉄筋支持具を提供することができた。
また、互いに交差する列筋と行筋をそれぞれ扇形部に載せることにより、上方向を除く全ての方向について鉄筋格子を拘束しながら支持する構成としたので、鉄筋格子がずれることがない鉄筋支持具を提供することができた。
また、列筋と行筋とが交差する範囲を外して支持部を設けた鉄筋支持具としたので、溶接部又は結束線との干渉を避けて鉄筋格子を支持することが可能になった。
さらに、上方に開放する支持部と横方向に開放する第２支持部を設けた鉄筋支持具としたので、鉄筋格子を２段に配設することが可能になった。
【図面の簡単な説明】
【０００７】
【図１】鉄筋支持具の正面図である。
【図２】鉄筋支持具の側面図である。
【図３】鉄筋支持具の平面図である。
【図４】鉄筋支持具の正面図である。
【図５】鉄筋支持具の左側面図である。
【図６】鉄筋支持具の右側面図である。
【図７】鉄筋支持具に鉄筋格子を取り付けた状態の平面図である。
【図８】図７のＪ−Ｊ視及びＫ−Ｋ視である。
【考案を実施するための形態】
【０００８】
鉄筋格子を支持する鉄筋支持具であって、正面、左側面及び右側面からなる支柱部を有するものとし、各面にそれぞれ上方に開放する支持部を設ける。そして各支持部は、それぞれ扇形部と上方開口部を有するものとし、左側面及び右側面に設けた側面支持部の扇形部の高さと、正面に設けた正面支持部の扇形部の高さとの間に、使用する鉄筋のサイズに見合う寸法の段差を設ける。
また、上方開口部が上方に向かうにつれ徐々に広がる形状を有する鉄筋支持具とすることが好ましい。鉄筋支持具に対する鉄筋格子の着脱をさらに容易にすることが可能になるからである。
鉄筋支持具の材料について特にこだわるものではなく、鋼鉄、モルタル、合成樹脂などを材料とすることが可能である。鉄筋格子の重量については、いずれか１の支持部に負荷させるだけで足り、他の支持部は鉄筋格子がずれないよう拘束するだけでよい。従って、扇形部の半径は鉄筋の公称の半径より少し大きくすることが好ましい。
【０００９】
上記した鉄筋支持具であって、支持部より下側に、正面、左側面及び右側面の各面に、それぞれ横方向に開放する第２支持部を設ける。第２支持部を設けることにより、２段の鉄筋格子を配設することが可能になるからである。
そして、各第２支持部は、それぞれ扇形部と横向開口部を有するものとし、正面に設けた正面第２支持部の横向開口部が、左側面に設けた左面第２支持部又は右側面に設けた右面第２支持部のいずれかの横向開口部と合流し、すべての横向開口部が同じ方向に開放する構成とする。さらに、左面第２支持部及び右面第２支持部の扇形部の高さと、正面第２支持部の扇形部の高さとの間に、使用する鉄筋のサイズに見合う寸法の段差を設ける。
また、上側に設けた正面支持部の扇形部と下側に設けた正面第２支持部の扇形部との間に、８０〜２００ｍｍの段差を設けた鉄筋支持具とする。床コンクリートを打設する場合に、最も適切な位置に鉄筋を配置するためである。
上記したいずれかの鉄筋支持具であって、扇形部の半径を３〜７ｍｍの範囲とした鉄筋支持具とする。床コンクリートを打設する場合に、最も適切な鉄筋のサイズに合わせた扇形部としたものである。
【００１０】
鉄筋支持具を列筋と行筋とが交差する位置に設置する。そして例えば、正面支持部の扇形部に行筋を載せ、側面支持部の扇形部に列筋を載せる。このようにすると、行筋と列筋が両方とも扇形部によって拘束されるため、上方向を除きいずれの方向についても鉄筋格子がずれることがない。
正面、左側面及び右側面からなる支柱部としたのは、各面に囲われた空間に列筋と行筋とが交差する部分を位置させ、溶接部又は結束線との干渉を避けつつ、正面支持部及び側面支持部の扇形部、又は、正面第２支持部、左面第２支持部及び右面第２支持部の扇形部により、列筋及び行筋の両方を同時に支持するためである。
また、使用する鉄筋のサイズに見合う寸法の段差を設けることにより、列筋と行筋の両方をそれぞれ扇形部に位置させて、上方向を除くいずれの方向についても鉄筋格子がずれないよう拘束するためである。いずれか１の支持部に鉄筋格子の重量を負荷させれば足りるため、正確に鉄筋の公称の直径に合わせた段差にする必要はない。
【実施例１】
【００１１】
本考案の実施例１を図１〜図３に示し説明する。実施例１に係る鉄筋支持具は鋼鉄からなる１段の鉄筋支持具１０とした。また、公称直径９．５３ｍｍの鉄筋からなる鉄筋格子を支持するものとした。
鉄筋支持具１０は、正面１ａ、左側面１ｂ及び右側面１ｃとからなる支柱部１を有するものとした。さらに、正面１ａ、左側面１ｂ及び右側面１ｃの各面の下端において、水平方向に折り曲げてなるベース部９を設けた。
正面１ａの上部には、扇形部３ａと上方開口部３ｂとからなる正面支持部３を設け、左側面１ｂ及び右側面１ｃにはそれぞれ、扇形部４ａと上方開口部４ｂとからなる側面支持部４を設けた。
本実施例の鉄筋支持具１０は、扇形部３ａ、４ａの中心径を５．５ｍｍとして、使用する鉄筋の公称直径より少し大きな扇形部とした。そして、扇形部３ａ、４ａの上側にそれぞれ、上方に向かうにつれ徐々に広がる形状を有する上方開口部３ｂ、４ｂを設けた。
さらに、上端から正面支持部の扇形部３ａの下縁までの高さＡと、上端から側面支持部の扇形部４ａの下縁までの高さＢとの間に、使用する鉄筋のサイズに見合う寸法として９ｍｍの段差を設けた。
【実施例２】
【００１２】
本考案の実施例２を図４〜図８に示し説明する。実施例２の鉄筋支持具は、実施例１の鉄筋支持具の高さを高くして、第２支持部を追加した２段の鉄筋支持具２０である。また実施例１と同様、公称直径９．５３ｍｍの鉄筋からなる鉄筋格子を支持するものとした。
鉄筋支持具２０は、正面２ａ、左側面２ｂ及び右側面２ｃとからなる支柱部２を有するものとした。さらに、正面２ａ、左側面２ｂ及び右側面２ｃの各面の下端において、水平方向に折り曲げてなるベース部９を設けた。
正面２ａの上部には、扇形部３ａと上方開口部３ｂとからなる正面支持部３を設け、左側面１ｂ及び右側面１ｃにはそれぞれ、扇形部４ａと上方開口部４ｂとからなる側面支持部４を設けた。
さらに、上端から正面支持部の扇形部３ａの下縁までの高さＡと、上端から側面支持部の扇形部４ａの下縁までの高さＢとの間に、使用する鉄筋のサイズに見合う寸法として９ｍｍの段差を設けた。  
【００１３】
そして、正面２ａには半円形状を有する扇形部５ａと横向開口部５ｂとからなる正面第２支持部５を設け、左側面２ｂには半円形状を有する扇形部６ａと横向開口部６ｂとからなる左面第２支持部６を設け、横向開口部５ｂが横向開口部６ｂに合流して前方に開放する構成とした。さらに、右側面２ｃには半円形状を有する扇形部７ａと前方に開放する横向開口部７ｂとからなる右面第２支持部７を設けた。このようにして、すべての横向開口部が前方に開放する構成とした。
さらに、上端から正面第２支持部の扇形部５ａの下縁までの高さＣと、上端から左面第２支持部及び右面第２支持部の扇形部６ａ、７ａの下縁までの高さＤとの間に、使用する鉄筋のサイズに見合う寸法として９ｍｍの段差を設けた。また、Ｃ−Ａ＝１００ｍｍとして上段に設置する鉄筋と下段に設置する鉄筋の間に１００ｍｍの段差を設けた。
【００１４】
鉄筋支持具２０に鉄筋格子８を取り付けるときは、まず、下段に設置する鉄筋格子８に対して鉄筋支持具２０を取り付ける。このとき、横向開口部６ｂと横向開口部５ｂを経由して、行筋８ａが正面第２支持部５の扇形部５ａの上に位置するよう、鉄筋支持具２０を移動させる。さらに、横向開口部６ｂ、７ｂを経由して、列筋８ｂが左面第２支持部６の扇形部６ａ及び右面第２支持部７の扇形部７ａの上に位置するよう移動させる。
その後、鉄筋格子８を下げ、正面第２支持部の扇形部５ａに行筋８ａを載せ、左面第２支持部の扇形部６ａ及び右面第２支持部の扇形部７ａに列筋８ｂを載せることにより、鉄筋支持具２０に鉄筋格子８を取り付ける。
続いて、上段に設置する鉄筋格子８の行筋８ａを正面支持部３の扇形部３ａに載せ、列筋８ｂを左側面１ｂ及び右側面１ｃにそれぞれ設けた側面支持部４の扇形部４ａに載せる。以上の順序で取り付けることにより、上下２段の鉄筋格子８をそれぞれ鉄筋支持具２０に着脱することは容易である。
【産業上の利用可能性】
【００１５】
本考案は、駐車場や工場の床などとして使用する、床コンクリートを施工する産業だけでなく、鉄筋支持具を製造販売する産業でも利用される。
【符号の説明】
【００１６】
１  ：支柱部                １ａ：正面                １ｂ：左側面
１ｃ：右側面                ２  ：支柱部              ２ａ：正面
２ｂ：左側面                ２ｃ：右側面              ３  ：正面支持部
３ａ：扇形部                ３ｂ：上方開口部          ４  ：側面支持部
４ａ：扇形部                ４ｂ：上方開口部          ５  ：正面第２支持部
５ａ：扇形部                ５ｂ：横向開口部          ６  ：左面第２支持部
６ａ：扇形部                ６ｂ：横向開口部          ７  ：右面第２支持部
７ａ：扇形部                ７ｂ：横向開口部          ８  ：鉄筋格子
８ａ：行筋                  ８ｂ：列筋                ９  ：ベース部
１０  ：鉄筋支持具          ２０  ：鉄筋支持具
【図１】
0003187894.tif 000003
【図２】
0003187894.tif 000004
【図３】
0003187894.tif 000005
【図４】
0003187894.tif 000006
【図５】
0003187894.tif 000007
【図６】
0003187894.tif 000008
【図７】
0003187894.tif 000009
【図８】
0003187894.tif 000010